(57)【要約】【課題】パネルが脱着可能な電子機器について、パネルの取付が適切に行われるようにする。【解決手段】電子機器２と、電子機器２に脱着可能なパネル３とを備える車両用カーナビゲーションシステム１において、パネル３は、電子機器との間での電気的接続に用いられるパネル側コネクタ６６と、電子機器２との間での物理的接続に用いられるパネル側接続部と、を備え、電子機器２は、電子機器２に対してパネル３が装着される動作に応じて、パネル側コネクタ６６と電気的接続されるドック側コネクタ５１と、電子機器２に対してパネル３が装着される動作に応じて、パネル側コネクタ６６とドック側コネクタ５１との電気的接続が行われた後に、パネル側接続部と物理的接続される機器側接続部と、パネル側コネクタ６６とドック側コネクタ５１との電気的接続を検出した後、パネル側接続部と機器側接続部との物理的接続を検出した場合に、所定の処理を実行する機器制御部１２０と、を備える。【選択図】図２２
2018088122.tif 000002
【特許請求の範囲】
【請求項１】
電子機器と、前記電子機器に脱着可能なパネルとを備える電子機器システムにおいて、
前記パネルは、
前記電子機器との間での電気的接続に用いられるパネル側コネクタと、
前記電子機器との間での物理的接続に用いられるパネル側接続部と、を備え、
前記電子機器は、
前記電子機器に対して前記パネルが装着される動作に応じて、前記パネル側コネクタと電気的接続される機器側コネクタと、
前記電子機器に対して前記パネルが装着される動作に応じて、前記パネル側コネクタと前記機器側コネクタとの電気的接続が行われた後に、前記パネル側接続部と物理的接続される機器側接続部と、
前記パネル側コネクタと前記機器側コネクタとの電気的接続を検出した後、前記パネル側接続部と前記機器側接続部との物理的接続を検出した場合に、所定の処理を実行する制御部と、を備える
ことを特徴とする電子機器システム。
【請求項２】
前記パネルは、
受光を検出する受光部を備え、
前記電子機器は、
前記パネルが前記電子機器に装着された状態のときに前記受光部に対向する位置に設けられた発光部を備え、
前記電子機器の前記機器側接続部は、
前記電子機器に対して前記パネルが装着される動作に連動して移動し、前記受光部による前記発光部が発する光の受光状態を変化させる移動部を備え、
前記電子機器の前記制御部は、
前記電子機器に対して前記パネルが装着される動作に応じて、前記パネル側コネクタと前記機器側コネクタとの電気的接続が行われた後に、これらコネクタを介して前記受光部の検出結果を取得し、前記受光部の受光状態の変化を検出することによって、前記パネル側接続部と前記機器側接続部との物理的接続を検出する
ことを特徴とする請求項１に記載の電子機器システム。
【請求項３】
前記電子機器の前記機器側接続部の前記移動部は、
前記パネルが前記電子機器に物理的接続される前の状態から、物理的接続された状態へ移行する過程で、前記発光部が発する光を所定の態様で遮蔽し、
前記電子機器の前記制御部は、
前記所定の態様に対応する所定のパターンで前記受光部の受光状態が変化したことを検出した場合に、前記パネル側接続部と前記機器側接続部との物理的接続を検出する
ことを特徴とする請求項２に記載の電子機器システム。
【請求項４】
前記パネルの前記パネル側接続部は、
爪係合部を備え、
前記電子機器の前記機器側接続部は、
前記電子機器に対して前記パネルが装着される動作に連動して前記移動部を移動させ、前記爪係合部に係合することによって、前記パネル側接続部と前記機器側接続部とを物理的接続する爪部を備える
ことを特徴とする請求項３に記載の電子機器システム。
【請求項５】
前記電子機器の前記制御部は、
前記パネル側コネクタと前記機器側コネクタとの電気的接続を検出した後、これらコネクタを介して前記発光部の電源をオンする
ことを特徴とする請求項１から４のいずれか１項に記載の電子機器システム。
【請求項６】
前記電子機器の前記制御部は、
前記所定の処理として、前記パネル側コネクタ及び前記機器側コネクタを介して前記パネルに制御信号を出力して、前記パネルを起動する処理を実行する
ことを特徴とする請求項１から５のいずれか１項に記載の電子機器システム。
【請求項７】
前記電子機器の前記制御部は、
前記所定の処理として、前記パネル側コネクタ及び前記機器側コネクタを介して前記パネルに制御信号を出力して、前記パネルを制御する処理を実行する
ことを特徴とする請求項１から６のいずれか１項に記載の電子機器システム。
【請求項８】
前記電子機器は、
音声を出力する音声出力部を備え、
前記電子機器の前記制御部は、
前記所定の処理として、前記音声出力部が音声を出力するときの音量を調整する処理を実行する
ことを特徴とする請求項１から７のいずれか１項に記載の電子機器システム。
【請求項９】
電子機器と、前記電子機器に脱着可能なパネルとを備える電子機器システムにおいて、
前記パネルは、
前記電子機器との間での電気的接続に用いられるパネル側コネクタと、
前記電子機器との間での物理的接続に用いられるパネル側接続部と、
受光を検出する受光部と、を備え、
前記電子機器は、
前記電子機器に対して前記パネルが装着される動作に応じて、前記パネル側コネクタと電気的接続される機器側コネクタと、
前記電子機器に対して前記パネルが装着される動作に応じて、前記パネル側コネクタと前記機器側コネクタとの電気的接続が行われた後に、前記パネル側接続部と物理的接続される機器側接続部と、
前記パネルが前記電子機器に装着されたときに前記受光部に対向する位置に設けられた発光部と、
前記機器側接続部に設けられ、前記電子機器に対して前記パネルが装着される動作に連動して移動し、前記受光部による前記発光部が発する光の受光状態を変化させる移動部と、
前記パネル側コネクタと前記機器側コネクタとの電気的接続を検出した後、これらコネクタを介して前記受光部の検出結果を取得し、前記受光部の受光状態の変化を検出することによって、前記パネル側接続部と前記機器側接続部との物理的接続を検出した場合に、所定の処理を実行する制御部と、を備える
ことを特徴とする電子機器システム。
【請求項１０】
パネルが脱着可能な電子機器において、
前記パネルが装着される動作に応じて、前記パネルが備えるパネル側コネクタと電気的接続される機器側コネクタと、
前記パネルが装着される動作に応じて、前記パネル側コネクタと前記機器側コネクタとの電気的接続が行われた後に、前記パネルが備えるパネル側接続部と物理的接続される機器側接続部と、
前記パネル側コネクタと前記機器側コネクタとの電気的接続を検出した後、前記パネル側接続部と前記機器側接続部との物理的接続を検出した場合に、所定の処理を実行する制御部と、を備える
ことを特徴とする電子機器。
【請求項１１】
パネルが脱着可能な電子機器に、前記パネルを取り付けるときのパネル取付方法において、
前記電子機器は、前記パネルが装着される動作に応じて、前記パネルが備えるパネル側コネクタと前記電子機器が備える機器側コネクタとの電気的接続を検出した後、前記パネルが備えるパネル側接続部と前記電子機器が備える機器側接続部との物理的接続を検出した場合、所定の処理を実行する
ことを特徴とするパネル取付方法。
【発明の詳細な説明】
【技術分野】
【０００１】
本発明は、電子機器システム、電子機器、及び、パネル取付方法に関する。
【背景技術】
【０００２】
従来、パネルと、電子機器（本体）とを備え、電子機器に対するパネルの脱着を検出する電子機器システム（パネル脱着検出装置）が知られている（例えば、特許文献１参照）。
【先行技術文献】
【特許文献】
【０００３】
【特許文献１】特開Ｈ０７−２３０５８６号公報
【発明の概要】
【発明が解決しようとする課題】
【０００４】
上述した電子機器システムのように、電子機器に対してパネルが脱着可能なものでは、電子機器に対するパネルの取付時に、対応する処理を行って、電子機器に対するパネルとの取付が適切に行われるようにしたいとするニーズがある。
本発明は、上述した事情に鑑みてなされたものであり、パネルが脱着可能な電子機器について、パネルの取付が適切に行われるようにすることを目的とする。
【課題を解決するための手段】
【０００５】
上記目的を達成するために、本発明は、電子機器と、前記電子機器に脱着可能なパネルとを備える電子機器システムにおいて、前記パネルは、前記電子機器との間での電気的接続に用いられるパネル側コネクタと、前記電子機器との間での物理的接続に用いられるパネル側接続部と、を備え、前記電子機器は、前記電子機器に対して前記パネルが装着される動作に応じて、前記パネル側コネクタと電気的接続される機器側コネクタと、前記電子機器に対して前記パネルが装着される動作に応じて、前記パネル側コネクタと前記機器側コネクタとの電気的接続が行われた後に、前記パネル側接続部と物理的接続される機器側接続部と、前記パネル側コネクタと前記機器側コネクタとの電気的接続を検出した後、前記パネル側接続部と前記機器側接続部との物理的接続を検出した場合に、所定の処理を実行する制御部と、を備えることを特徴とする。
【０００６】
また、本発明は、前記パネルは、受光を検出する受光部を備え、前記電子機器は、前記パネルが前記電子機器に装着された状態のときに前記受光部に対向する位置に設けられた発光部を備え、前記電子機器の前記機器側接続部は、前記電子機器に対して前記パネルが装着される動作に連動して移動し、前記受光部による前記発光部が発する光の受光状態を変化させる移動部を備え、前記電子機器の前記制御部は、前記電子機器に対して前記パネルが装着される動作に応じて、前記パネル側コネクタと前記機器側コネクタとの電気的接続が行われた後に、これらコネクタを介して前記受光部の検出結果を取得し、前記受光部の受光状態の変化を検出することによって、前記パネル側接続部と前記機器側接続部との物理的接続を検出することを特徴とする。
【０００７】
また、本発明は、前記電子機器の前記機器側接続部の前記移動部は、前記パネルが前記電子機器に物理的接続される前の状態から、物理的接続された状態へ移行する過程で、前記発光部が発する光を所定の態様で遮蔽し、前記電子機器の前記制御部は、前記所定の態様に対応する所定のパターンで前記受光部の受光状態が変化したことを検出した場合に、前記パネル側接続部と前記機器側接続部との物理的接続を検出することを特徴とする。
【０００８】
また、本発明は、前記パネルの前記パネル側接続部は、爪係合部を備え、前記電子機器の前記機器側接続部は、前記電子機器に対して前記パネルが装着される動作に連動して前記移動部を移動させ、前記爪係合部に係合することによって、前記パネル側接続部と前記機器側接続部とを物理的接続する爪部を備えることを特徴とする。
【０００９】
また、本発明は、前記電子機器の前記制御部は、前記パネル側コネクタと前記機器側コネクタとの電気的接続を検出した後、これらコネクタを介して前記発光部の電源をオンすることを特徴とする。
【００１０】
また、本発明は、前記電子機器の前記制御部は、前記所定の処理として、前記パネル側コネクタ及び前記機器側コネクタを介して前記パネルに制御信号を出力して、前記パネルを起動する処理を実行することを特徴とする。
【００１１】
また、本発明は、前記電子機器の前記制御部は、前記所定の処理として、前記パネル側コネクタ及び前記機器側コネクタを介して前記パネルに制御信号を出力して、前記パネルを制御する処理を実行することを特徴とする。
【００１２】
また、本発明は、前記電子機器は、音声を出力する音声出力部を備え、前記電子機器の前記制御部は、前記所定の処理として、前記音声出力部が音声を出力するときの音量を調整する処理を実行することを特徴とする。
【００１３】
また、上記目的を達成するために、本発明は、電子機器と、前記電子機器に脱着可能なパネルとを備える電子機器システムにおいて、前記パネルは、前記電子機器との間での電気的接続に用いられるパネル側コネクタと、前記電子機器との間での物理的接続に用いられるパネル側接続部と、受光を検出する受光部と、を備え、前記電子機器は、前記電子機器に対して前記パネルが装着される動作に応じて、前記パネル側コネクタと電気的接続される機器側コネクタと、前記電子機器に対して前記パネルが装着される動作に応じて、前記パネル側コネクタと前記機器側コネクタとの電気的接続が行われた後に、前記パネル側接続部と物理的接続される機器側接続部と、前記パネルが前記電子機器に装着されたときに前記受光部に対向する位置に設けられた発光部と、前記機器側接続部に設けられ、前記電子機器に対して前記パネルが装着される動作に連動して移動し、前記受光部による前記発光部が発する光の受光状態を変化させる移動部と、前記パネル側コネクタと前記機器側コネクタとの電気的接続を検出した後、これらコネクタを介して前記受光部の検出結果を取得し、前記受光部の受光状態の変化を検出することによって、前記パネル側接続部と前記機器側接続部との物理的接続を検出した場合に、所定の処理を実行する制御部と、を備えることを特徴とする。
【００１４】
また、上記目的を達成するために、本発明は、パネルが脱着可能な電子機器において、前記パネルが装着される動作に応じて、前記パネルが備えるパネル側コネクタと電気的接続される機器側コネクタと、前記パネルが装着される動作に応じて、前記パネル側コネクタと前記機器側コネクタとの電気的接続が行われた後に、前記パネルが備える前記パネル側接続部と物理的接続される機器側接続部と、前記パネル側コネクタと前記機器側コネクタとの電気的接続を検出した後、前記パネル側接続部と前記機器側接続部との物理的接続を検出した場合に、所定の処理を実行する制御部と、を備えることを特徴とする。
【００１５】
また、上記目的を達成するために、本発明は、パネルが脱着可能な電子機器に、前記パネルを取り付けるときのパネル取付方法において、前記電子機器は、前記パネルが装着される動作に応じて、前記パネルが備えるパネル側コネクタと前記電子機器が備える機器側コネクタとの電気的接続を検出した後、前記パネルが備えるパネル側接続部と前記電子機器が備える機器側接続部との物理的接続を検出した場合、所定の処理を実行することを特徴とする。
【発明の効果】
【００１６】
本発明によれば、パネルが脱着可能な電子機器について、パネルの取付が適切に行われるようにできる。
【図面の簡単な説明】
【００１７】
【図１】第１実施形態に係る車両用カーナビゲーションシステムの外観斜視図。
【図２】車両用カーナビゲーションシステムの分解斜視図。
【図３】スライダの側面図。
【図４】ブラケットの背面図。
【図５】ブラケットが、ブラケット取り付け用板に、取り付けられた様子を示す図。
【図６】ブラケットが、ブラケット取り付け用板に、取り付けられた様子を示す図。
【図７】連結ドックが、ブラケットに、取り付けられた様子を示す図。
【図８】連結ドックが、ブラケットに、取り付けられた様子を示す図。
【図９】連結ドックの正面図。
【図１０】フロントカバーを透明にして表した連結ドックの正面図。
【図１１】フロントカバーを透明にして表した連結ドックの正面図。
【図１２】連結ドックの分解斜視図。
【図１３】パネルの背面図。
【図１４】パネルの分解斜視図。
【図１５】パネルの背面側における分解斜視図。
【図１６】パネルを連結ドックに取り付ける手順を示す側面図。
【図１７】パネルの一部を断面とした斜視図。
【図１８】（ａ）はパネルを連結ドックに取り付ける手順を示す断面図、（ｂ）は、パネルを連結ドックに取り付ける手順を示す断面図。
【図１９Ａ】パネルの係合孔に、連結ドックの係合爪が係合するときの動作の説明に用いる図。
【図１９Ｂ】パネルの係合孔に、連結ドックの係合爪が係合するときの動作の説明に用いる図。
【図１９Ｃ】パネルの係合孔に、連結ドックの係合爪が係合するときの動作の説明に用いる図。
【図１９Ｄ】パネルの係合孔に、連結ドックの係合爪が係合するときの動作の説明に用いる図。
【図１９Ｅ】パネルの係合孔に、連結ドックの係合爪が係合するときの動作の説明に用いる図。
【図２０】係合孔に係合爪が係合した状態の連結ドック、及び、パネルを、連結ドックの一部を断面図として、上から見た図。
【図２１】スライド部材が第２状態となったときの連結ドック、及び、パネルを、連結ドックの一部を断面図として、上から見た図。
【図２２】電子機器、及び、パネルの要部の電気的構成を示すブロック図。
【図２３】電子機器の動作を示すフローチャート。
【図２４】電子機器の動作を示すフローチャート。
【発明を実施するための形態】
【００１８】
以下、図面を参照して本発明の実施形態について説明する。
＜第１実施形態＞
図１は、車両用カーナビゲーションシステム１（電子機器システム）の外観斜視図である。
本実施形態に係る車両用カーナビゲーションシステム１は、ユーザが設定した目的地までの経路を案内する機能を備えるカーナビゲーション装置である。図１に示すように、車両用カーナビゲーションシステム１は、電子機器２と、電子機器２の前面に対して脱着可能なパネル３とを備える。パネル３は、タッチパネル６１を含んで構成される。
車両用カーナビゲーションシステム１は、車両のダッシュボードに取り付け可能である。車両用カーナビゲーションシステム１がダッシュボードに取り付けられる際は、パネル３がダッシュボードの外側に露出した状態で、電子機器２がダッシュボードの内部に収容されて固定される。このような状態で車両用カーナビゲーションシステム１がダッシュボードに取り付けられるため、パネル３の前面の面積を、ダッシュボードの開口の面積に影響を受けることなく大きくすることができ、パネル３の大型化を図ることができる。一方で、パネル３がダッシュボードの外側に露出した状態となるため、第３者によるパネル３の盗難を防止する必要がある。これを踏まえ、本実施形態に係る車両用カーナビゲーションシステム１は、後述するように、ユーザが簡易に電子機器２に対してパネル３を脱着できる構成を有しており、これにより、ユーザがパネル３を取り外して持ち運べるようにし、第３者によるパネル３の盗難を防止している。さらに、後述するように、車両用カーナビゲーションシステム１は、電子機器２に対するパネル３の脱着に際し、対応する処理を行って、当該脱着が適切に行われるようにしている。
以下の説明では、電子機器２にパネル３が装着された状態の車両用カーナビゲーションシステム１を正面から見たときに右に向かう方向を「右方」とし、左に向かう方向を「左方」とする。
【００１９】
図２は、車両用カーナビゲーションシステム１の分解斜視図である。
図１および図２に示すように、電子機器２は、筐体１０と、スライダ機構２０と、ブラケット３０と、連結ドック４０とを備えている。
【００２０】
筐体１０は、箱状のケースであり、図示しない各種電気・電子部品が実装された制御基板が内蔵されている。筐体１０の下方には、スライダ機構２０が設けられている。
【００２１】
図２に示すように示すように、スライダ機構２０は、筐体１０の底板１１と、スライダ支持板１２とにより構成されるレール部１３を備えている。すなわち、筐体１０の底板１１は、中央部が上方に位置するように凸状に形成されており、底板１１を凸状に形成することで、底板１１の中央部下方には、下方が開放された空間が形成されるように構成されている。底板１１の下面には、底板１１の空間の下面を被覆するようにスライダ支持板１２がねじなどにより取り付けられている。そして、底板１１とスライダ支持板１２とで構成される空間により、筐体１０の前後方向に延在するレール部１３が構成される。
底板１１の中央部前方は、スライダ取付部とされており、スライダ取付部には、ねじ穴が形成されている。
レール部１３の内側には、スライダ２１が挿入されている。
【００２２】
図３は、スライダ２１の側面図である。
スライダ２１は、上面が開放された形状を有しており、スライダ２１の前後方向略中央付近には、スライダ２１の幅方向に延在する移動用板２２が立設されている。
スライダ２１の上面側であって移動用板２２より前方には、固定部材２３が配置されている。固定部材２３は、移動用板２２と略平行に配置された軸支板２４と、固定用板２５とからなり、全体として略Ｌ字状に形成されている。固定用板２５には、ねじ穴２６が形成されており、このねじ穴２６を介してねじなどを底板１１に形成されたねじ穴に螺合させることで、固定用板２５を底板１１のスライダ取付部に固定するように構成されている。
また、移動用板２２には、位置調整ボルト２７がスライダ２１の後方側から固定部材２３に向けて挿通されており、位置調整ボルト２７は、移動用板２２に対して回転しないように固定されている。位置調整ボルト２７の先端部は、軸支板２４に挿通されており、位置調整ボルト２７の先端部には、位置調整ナットが螺合されている。
そして、位置調整ナットを回転させることで、底板１１に固定されている固定部材２３に対して相対的にスライダ２１をレール部１３の前後方向に移動可能に構成されている。
【００２３】
スライダ２１の前端部には、ブラケット取り付け用板３１がヒンジ機構３２を介して取り付けられている。これにより、ブラケット取り付け用板３１は、ヒンジ機構３２を介して、スライダ２１に対して図３の矢印Ｙ１で示す方向に回動し、スライダ２１に対する角度を調整することが可能となっている。
ブラケット取り付け用板３１の中央部には、図２において、上下方向に延在する長穴３３が形成されている。ブラケット取り付け用板３１には、略長方形状を有する平板状のブラケット３０が取り付けられている。
【００２４】
図４は、ブラケット３０の背面図である。図５は、ブラケット３０が、ブラケット取り付け用板３１に対して、取り付け可能な上下方向の範囲のうち最上部に取り付けられた様子を示す図である。図６は、ブラケット３０が、ブラケット取り付け用板３１に対して、取り付け可能な上下方向の範囲のうち最下部に取り付けられた様子を示す図である。
ブラケット３０は、ブラケット取り付け用板３１の後方側から長穴３３を貫通するねじ３４をブラケット３０の背面側に螺合させることで、ブラケット取り付け用板３１に固定される。この場合において、ブラケット３０は、長穴３３に対するねじ３４の位置を調整することで、図５に示す位置と、図６に示す位置との範囲内で、ブラケット取り付け用板３１に対するブラケット３０の取付位置を調整することができるように構成されている。
ブラケット３０の両側には、上下縁に沿ってブラケット３０の幅方向に延在する長穴３５がそれぞれ形成されている。
ブラケット３０には、連結ドック４０が取り付けられている。
【００２５】
図７は、連結ドック４０が、ブラケット３０に対して、取り付け可能な左右方向の範囲のうち最左部に取り付けられた様子を示す図である。図８は、連結ドック４０が、ブラケット３０に対して、取り付け可能な左右方向の範囲のうち最右部に取り付けられた様子を示す図である。
連結ドック４０は、ブラケット３０の後方側から長穴３５を貫通するねじ３６を連結ドック４０の背面側に螺合させることで、ブラケット３０に固定される。この場合において、連結ドック４０は、長穴３５に対するねじ３６の位置を調整することで、図７に示す位置と、図８に示す位置との範囲内で、ブラケット３０に対する連結ドック４０の取付位置を調整することができるように構成されている。
【００２６】
図９は、連結ドック４０の正面図である。図１０は、連結ドック４０の内部を説明するため、フロントカバー４１（後述）を透明にして表した連結ドック４０の正面図である。特に、図１０は、スライド部材４７（後述）が、弾性部材１００の付勢力により、移動可能な左右方向の範囲のうち最左部に位置した状態の連結ドック４０を示す。図１１は、フロントカバー４１（後述）を透明にして表した連結ドック４０の正面図である。特に、図１１は、スライド部材４７（後述）が、弾性部材１００の付勢力に抗して押動操作（操作）されて、移動可能な左右方向の範囲のうち最右部に位置した状態の連結ドック４０を示す。図１２は、連結ドック４０の分解斜視図である。
図１２に示すように、連結ドック４０は、フロントカバー４１と、ドック基板４２と、リアカバー４３とをそれぞれ備えている。フロントカバー４１の上部には、機器側接続部４４が設けられている。
機器側接続部４４は、フロントカバー４１の上部に設けられた箱型の操作用部材４５を備えている。
操作用部材４５の前面には、操作用部材４５の幅方向に延在する２つの係合用スリット４６，４６が形成されている。
操作用部材４５の内部には、スライド部材４７が収容されており、スライド部材４７は、操作用部材４５の幅方向（左右方向）に移動自在とされている。スライド部材４７には、各係合用スリット４６から突出する２つの係合爪４８、４８（爪部）が一体に形成されている。
【００２７】
また、スライド部材４７の左端部には、押動部４９（操作部）が形成されており、押動部４９は、操作用部材４５の左端部から外部に露出するように構成されている。スライド部材４７は、弾性部材１００により、押動部４９が操作用部材４５の左端部から突出する方向（左方）に付勢されている。この状態から、弾性部材１００の付勢力に抗して押動部４９を押動操作することで、スライド部材４７を移動させることができ、スライド部材４７の移動に伴って係合爪４８も移動させることができるように構成されている。
フロントカバー４１の中央部には、コネクタ用開口５０が形成されており、このコネクタ用開口５０からドック基板４２のドック側コネクタ５１（機器側コネクタ）が露出するように構成されている。
フロントカバー４１の両側下方には、それぞれガイド突起５２が形成されている。ガイド突起５２は、その上端部が曲面状に形成されている。
【００２８】
以下の説明では、スライド部材４７が、弾性部材１００の付勢力により、移動可能な左右方向の範囲のうち最左部に位置した状態（図１０の状態）を、「第１状態」という。また、スライド部材４７が、弾性部材１００の付勢力に抗して押動操作されて、移動可能な左右方向の範囲のうち最右部に位置した状態（図１１の状態）を、「第２状態」という。
図９、図１０、図１１、及び、図１２に示すように、フロントカバー４１において、コネクタ用開口５０の上方には、円状に開口した開口部１０２が形成されている。そして、連結ドック４０の内部に設けられたドック基板４２において、開口部１０２に対向する位置には、発光ＬＥＤ１０５（発光部）（図１１、図１２参照。）が設けられている。発光ＬＥＤ１０５は、赤外線の光を発するＬＥＤである。後述するように、スライド部材４７が第２状態の場合、発光ＬＥＤ１０５が発した光は、開口部１０２を介して、フロントカバー４１の外側に出力される。
図１０、図１１、及び、図１２に示すように、スライド部材４７の左右方向の略中央部には、下方に向かって突出する移動部１０１がスライド部材４７と一体に形成されている。図１０、及び、図１１に示すように、移動部１０１は、スライド部材４７の左右方向における移動と同期して、左右方向に移動する。移動部１０１は正面視略長方形の部材であり、左右方向の幅は、円状の開口部１０２の直径よりも十分に大きい。また、移動部１０１は、前後方向において、フロントカバー４１と、ドック基板４２との間に位置する。
【００２９】
図１０に示すように、スライド部材４７が第１状態のときに、移動部１０１は、開口部１０２に対向する位置に位置し、開口部１０２を覆う。これにより、発光ＬＥＤ１０５が発する光が、移動部１０１によって遮蔽されて、開口部１０２を介してフロントカバー４１の外側に出力することが停止される。すなわち、スライド部材４７が第１状態のときは、発光ＬＥＤ１０５が発する光は、開口部１０２を介してフロントカバー４１の外側に出力されない。
一方、図１１に示すように、スライド部材４７が第２状態のときに、移動部１０１は、開口部１０２の位置から外れた位置に位置する。これにより、発光ＬＥＤ１０５が発する光は、移動部１０１により遮蔽されることなく、開口部１０２を介してフロントカバー４１の外側に出力される。すなわち、スライド部材４７が第２状態のときは、発光ＬＥＤ１０５が発する光は、開口部１０２を介してフロントカバー４１の外側に出力される。
【００３０】
連結ドック４０には、パネル３が脱着可能である。
【００３１】
図１３は、パネル３の背面図である。図１４は、パネル３の分解斜視図である。図１５は、パネル３の背面側における分解斜視図である。
図１３に示すように、パネル３は、タッチパネル６１と、ブラケット６２と、パネル基板６３と、リアパネル６４とを備えている。
タッチパネル６１は、例えば、液晶表示パネルや、有機ＥＬパネル等の情報を表示可能な表示パネルと、表示パネルに重ねて配置されたタッチセンサーとを備える。タッチパネル６１は、情報を表示すると共に、ユーザからの指示入力を受け付ける。タッチパネル６１は、ブラケット６２に支持されており、ブラケット６２とリアパネル６４との間には、タッチパネル６１の各種制御を行うパネル基板６３が配置されている。
図１３、図１４、及び、図１５に示すように、リアパネル６４の中央部には、コネクタ用開口６５が形成されており、コネクタ用開口６５には、パネル基板６３のパネル側コネクタ６６が露出されるように構成されている。
【００３２】
図１３、及び、図１５に示すように、リアパネル６４の背面側の上部には、パネル側接続部１０６が設けられる。パネル側接続部１０６には、スライド部材４７の各係合爪４８が係止される２つの係合孔６７（爪係合部）が形成されている。また、リアパネル６４の背面側の下部であって、連結ドック４０のガイド突起５２に対応する位置には、それぞれガイド凹部６８が形成されている。ガイド凹部６８の内面は、ガイド突起５２の曲面に対応した曲面状に形成されている。
【００３３】
図１３、及び、図１５に示すように、リアパネル６４において、コネクタ用開口６５の上方には、円状に開口した開口部１０７が形成されている。そして、パネル３の内部に設けられたパネル基板６３において、開口部１０７に対向する位置には、受光センサー１０８（受光部）が設けられている。受光センサー１０８は、赤外線の光の受光を検出するフォントセンサーであり、光を受光した状態と、光を受光していない状態とで異なる検出値を出力する。受光センサー１０８は、開口部１０７を介して赤外線の光が入力された場合、当該光の受光を検出できる。
【００３４】
次に、パネル３を電子機器２の連結ドック４０に取り付けるときの手順、及び、パネル３を電子機器２の連結ドック４０から取り外すときの手順について、順次、説明する。
【００３５】
＜パネル３を電子機器２に取り付けるときの手順＞
図１６は、パネル３を連結ドック４０に取り付ける手順を示す側面図である。図１７は、パネル３の一部を断面とした斜視図である。図１８（ａ），（ｂ）は、それぞれパネル３を連結ドックに取り付ける手順を示す断面図である。
【００３６】
パネル３を連結ドック４０に装着する場合は、図１６および図１８（ａ）に示すように、まず、パネル３を傾斜して把持した状態で、パネル３のガイド凹部６８を連結ドック４０のガイド突起５２に係合させる。この状態から、パネル３を、そのガイド凹部６８をガイド突起５２に係合させたまま、連結ドック４０の前面に向かって、ガイド突起５２を回動軸として回動させる。
パネル３の回動に応じて、まず、ドック側コネクタ５１に対して、パネル側コネクタ６６が近接する。そして、パネル３は、傾斜した状態からガイド突起５２を回動軸として回動されるため、パネル側コネクタの下方の端子から、順次、ドック側コネクタ５１に接続されていき、回動の進みに応じて、パネル側コネクタの全ての端子が、ドック側コネクタ５１に接続された状態となる。
ここで、後述するように、受光センサー１０８への電力の供給、及び、信号の入出力は、電子機器２により、ドック側コネクタ５１、及び、パネル側コネクタ６６を介して行われる。そして、受光センサー１０８への電力供給のための電力供給線、及び、受光センサー１０８との間での信号の入出力のための信号線は、ドック側コネクタ５１の端子のうち、最下部に位置する端子に導通する。以下、ドック側コネクタ５１の端子うち、受光センサー１０８への電力供給のための電力供給線、及び、受光センサー１０８との間での信号の入出力のための信号線が導通する端子を、「ドック側受光センサー用端子」と表現する。また、パネル側コネクタ６６の端子のうち、受光センサー１０８への電力供給のための電力供給線、及び、受光センサー１０８との間での信号の入出力のための信号線が導通する端子を、「パネル側受光センサー用端子」と表現する。ドック側受光センサー用端子、及び、パネル側受光センサー用端子は、それぞれ、対応するコネクタの最下部に設けられるため、パネルの回動に応じて、ドック側受光センサー用端子と、パネル側受光センサー用端子との接続は、最初期に行われる。
以下、ドック側受光センサー用端子と、パネル側受光センサー用端子との接続を「第１電気的接続」と定義する。第１電気的接続が確立した状態においては、電子機器２は、受光センサー１０８を駆動することができると共に、受光センサー１０８の検出値を取得することができる。
また、ドック側コネクタ５１の全ての端子と、パネル側コネクタ６６の全ての端子との接続を、「第２電気的接続」と表現し、「第１電気的接続」と区別する。パネル３の回動に応じて、第２電気的接続は、第１電気的接続の後であって、後述する物理的接続の前に行われる。すなわち、電子機器２へのパネル３の取り付け時、第１電気的接続、第２電気的接続、及び、物理的接続は、第１電気的接続→第２電気的接続→物理的接続の順番で行われる。
【００３７】
少なくとも、ドック側受光センサー用端子と、パネル側受光センサー用端子とが接続された後（＝第１電気的接続が行われた後）、パネル３の回動がさらに進むと、パネル３の係合孔６７に、連結ドック４０の係合爪４８が弾発的に係合し、これにより、連結ドック４０に対してパネル３がロックされる。係合孔６７に対する係合爪４８の係合により、連結ドック４０に対してパネル３がロックされた状態が、「電子機器２がパネル３に装着された状態」である。
以下、パネル３の取り付け時において、係合孔６７に係合爪４８が係合するときの動作について詳述する。
【００３８】
図１９Ａ〜図１９Ｅは、パネル３の係合孔６７に、連結ドック４０の係合爪４８が係合するときの動作の説明に用いる図である。
図１９Ａ〜図１９Ｅの各図は、連結ドック４０側の構成要素である係合爪４８、移動部１０１、発光ＬＥＤ１０５、及び開口部１０２と、パネル３側の構成要素である係合孔６７、受光センサー１０８、及び開口部１０７との位置関係を示す図である。図１９Ａ〜図１９Ｅの各図は、係合孔６７に係合爪４８が係合するときの各部材の位置関係を説明することを目的とした図であり、説明の便宜を考慮して、各部材を単純化して模式的に示している。
【００３９】
図１９Ａは、パネル３の回動に応じて、係合爪４８が係合孔６７に近接したときの、各構成要素の位置関係を示す図である。
図１９Ａに示すように、係合爪４８は、その先端部に、案内部４８ａを備える。案内部４８ａには、後方に向かうに従って左方へ広がる傾斜部４８ｂが形成される。
図１９Ａに示すように、係合爪４８が係合孔６７に近接する一方、これらが接触するに至る前の状態のときは、スライド部材４７は、第１状態である。この場合、上述したように、移動部１０１により開口部１０２が塞がれ、発光ＬＥＤが発する光は、移動部１０１により遮蔽される。このため、受光センサー１０８は、発光ＬＥＤが発する光を受光せず、赤外線の受光を検出しない。
【００４０】
図１９Ａの状態から、パネル３の回動がさらに進むと、ある地点で、傾斜部４８ｂの前端部が、係合孔６７の内周に当接する。図１９Ｂは、傾斜部４８ｂの前端部が、係合孔６７の内周に当接した状態を示す図である。図１９Ｂの状態のときは、スライド部材４７は、第１状態であり、受光センサー１０８は、発光ＬＥＤ１０５が発する光を受光せず、赤外線の受光を検出しない。
【００４１】
図１９Ｂの状態から、パネル３の回動がさらに進むと、係合爪４８の傾斜部４８ｂは、係合孔６７の内周に接触しつつ摺動する。傾斜部４８ｂの摺動に伴って、スライド部材４７は、弾性部材１００の付勢力に抗して、右方へ向かって移動する。傾斜部４８ｂの摺動に伴うスライド部材４７の右方への移動と同期して、スライド部材４７の移動部１０１も右方へ移動する。移動部１０１の右方への移動に応じて、移動部１０１が開口部１０２を塞ぐ領域が徐々に縮小していく。移動部１０１が開口部１０２を塞ぐ領域の縮小に応じて、発光ＬＥＤ１０５が発する光が、開口部１０２を介してフロントカバー４１の外側に出力され始め、これに応じて、受光センサー１０８により、発光ＬＥＤ１０５が発する光が受光され始める。移動部１０１の右方への移動に応じて、受光センサー１０８の受光強度は徐々に大きくなる。図１９Ｃは、係合爪４８の傾斜部４８ｂの中央部が、係合孔６７の内周に当接した状態を示す図である。
【００４２】
図１９Ｃの状態から、パネル３の回動がさらに進むと、傾斜部４８ｂの後端部が、係合孔６７の内周に当接した状態となる。図１９Ｄは、傾斜部４８ｂの後端部が、係合孔６７の内周に当接した状態を示す図である。図１９Ｄの状態では、移動部１０１は、開口部１０２の位置から外れた位置に位置する。図１９Ｄの状態において、受光センサー１０８は、発光ＬＥＤ１０５が発する光を受光した状態であり、受光センサー１０８の受光強度は極大、若しくは極大に近い状態である。
【００４３】
図１９Ｄの状態から、パネル３の回動がさらに進むと、傾斜部４８ｂの後端部が、係合孔６７の内周の前端部を、前方に向かって超える。これに応じて、弾性部材１００の付勢力によって、係合孔６７に係合爪４８が弾発的に係合する。図１９Ｅは、係合孔６７に係合爪４８が係合した状態を示す図である。また、図２０は、係合孔６７に係合爪４８が係合した状態の連結ドック４０、及び、パネル３を、連結ドック４０の一部を断面図として、上から見た図である。
係合孔６７に係合爪４８が係合した状態では、図２０に示すように、スライド部材４７は第１状態となる。このため、発光ＬＥＤ１０５が発する光は、移動部１０１に遮蔽され、フロントカバー４１の外側に出力されない。従って、受光センサー１０８は、発光ＬＥＤ１０５が発する光を受光しない状態である。
【００４４】
係合孔６７に対する係合爪４８の係合により、連結ドック４０に対してパネル３がロックされる。これにより、電子機器２に対するパネル３の取り付けが完了し、電子機器２にパネル３が装着された状態なる。
以下、係合孔６７に対して係合爪４８が係合し、パネル３が電子機器２に対してロックされた状態を「物理的接続」と定義する。
【００４５】
以上のように、ユーザは、パネル３を把持し、パネル３のガイド凹部６８を連結ドック４０のガイド突起５２に係合させた後、パネル３を回動するという簡易な作業により、電子機器２にパネル３を装着することができる。
【００４６】
＜パネル３を電子機器２から取り外す時の手順＞
パネル３を電子機器２から取り外す場合、ユーザは、押動部４９を押動操作し、スライド部材４７を第２状態、又は、第２状態に近い状態とする。
図２１は、ユーザの押動部４９に対する押動操作により、スライド部材４７が第２状態となったときの連結ドック４０、及び、パネル３を、連結ドック４０の一部を断面図として、上から見た図である。
スライド部材４７が第２状態となると、係合孔６７と係合爪４８との係合が解除される。
【００４７】
次いで、ユーザは、少なくとも、係合孔６７が、係合爪４８の傾斜部の後端を、前方に向かって越えるまでの間、押動部４９の押動操作を継続しつつ、ガイド突起５２を回動軸として、パネル３を前方側に向かって回動させる。パネル３の回動に応じて、係合孔６７と係合爪４８との係合が解除された状態で、パネル３が電子機器２から離間していく。また、パネル３の回動に応じて、ドック側コネクタ５１の端子とパネル側コネクタ６６の端子との接続が、上方に位置する端子から、下方に位置する端子に向かって、段階的に解除されていく。パネル３の回動が進み、ドック側コネクタ５１の全ての端子と、パネル側コネクタ６６の全ての端子の接続が解除されると、電子機器２からパネル３を取り外せる状態となる。ユーザは、パネル３を所定方向に持ち上げて、パネル３のガイド凹部６８と、連結ドック４０のガイド突起５２との係合を解除することによって、パネル３を電子機器２から取り外す。以上により、電子機器２からのパネル３の取り外しが完了する。
電子機器２からパネル３を取り外す際、物理的接続、第１電気的接続、及び、第２電気的接続は、物理的接続→第２電気的接続→第１電気的接続の順番で解除される。
【００４８】
以上のように、ユーザは、押動部４９を押動操作すると共に、パネル３を所定方向に回動するという簡易な作業により、電子機器２からパネル３を取り外すことができる。
【００４９】
次に、電子機器２、及び、パネル３の要部の電気的構成について、説明する。
図２２は、電子機器２、及び、パネル３の要部の電気的構成を示すブロック図である。
以下の説明では、接続された状態のドック側コネクタ５１及びパネル側コネクタ６６を、単に、「コネクタ」と表現する場合がある。
図２２に示すように電子機器は、機器制御部１２０（制御部）と、電力供給回路１２１と、接続検出回路１２２と、センサー制御回路１２３と、ＬＥＤ制御回路１２４と、音声出力回路１２５（音声出力部）とを備える。
機器制御部１２０は、筐体１０に収容された制御基板に実装されたＣＰＵ１２０ａや、ＲＯＭ、ＲＡＭ、ＡＳＩＣ、信号処理回路等を備え、電子機器２の各部を制御する。機器制御部１２０は、例えば、ＣＰＵ１２０ａが、ＲＯＭに記憶されたプログラムをＲＡＭに読み出して処理を実行する等、ハードウェアとソフトウェアとが協働して処理を実行する。
電力供給回路１２１は、機器制御部１２０の制御で、コネクタを介して、パネル３の電源回路１５２（後述）に電力を供給する。
接続検出回路１２２は、ドック側コネクタ５１と、パネル側コネクタ６６との第１電気的接続、及び、第２電気的接続を検出し、検出結果を機器制御部１２０に出力する。ドック側コネクタ５１の所定の端子に印加される電圧を検出することにより、第１電気的接続、及び、第２電気的接続を検出する。上述したように、ドック側受光センサー用端子と、パネル側受光センサー用端子との接続が「第１電気的接続」であり、コネクタ間の全ての端子の接続が「第２電気的接続」である。
センサー制御回路１２３は、機器制御部１２０の制御で、コネクタを介してパネル３に設けられた受光センサー１０８を駆動し、また、受光センサー１０８の検出値を取得して、機器制御部１２０に出力する。
ＬＥＤ制御回路１２４は、機器制御部１２０の制御で、連結ドック４０が有する発光ＬＥＤ１０５に駆動信号を出力して、発光ＬＥＤ１０５を駆動する。
音声出力回路１２５は、機器制御部１２０の制御で、スピーカー（不図示）から、音声を出力する。電子機器２は、メモリー（不図示）を備え、メモリーには、楽曲が記録されたデータや、経路案内のアナウンス等の音声が記録されたデータ等の音声データが記憶される。機器制御部１２０は、必要に応じて音声データに基づいて、音声出力回路１２５に、音声データに基づくオーディオ信号を音声出力回路１２５に出力する。音声出力回路１２５には、Ｄ／Ａコンバーターや、音量調整回路、アンプ回路が実装されており、音声出力回路１２５は、機器制御部１２０から入力されるオーディオ信号をＤ／ＡコンバーターでＤ／Ａ変換し、機器制御部１２０の制御で音量調整回路により音量を調整し、アンプ回路により増幅してスピーカーに出力し、スピーカーから音声を出力する。
【００５０】
図２２に示すように、パネル３は、パネル制御部１５０と、表示制御回路１５１と、電源回路１５２と、を備える。
パネル制御部１５０は、パネル基板６３に実装されたＣＰＵ１５０ａや、ＲＯＭ、ＲＡＭ、ＡＳＩＣ、信号処理回路等を備え、パネル３の各部を制御する。パネル制御部１５０は、例えば、ＣＰＵ１５０ａが、ＲＯＭに記憶されたプログラムをＲＡＭに読み出して処理を実行する等、ハードウェアとソフトウェアとが協働して処理を実行する。
パネル制御部１５０と、機器制御部１２０は、コネクタを介して通信可能に接続される。
表示制御回路１５１は、タッチパネル６１の制御用のＩＣや、ＲＯＭ、ＲＡＭ（例えば、ＶＲＡＭ）、ＡＳＩＣ、信号処理回路等を備え、パネル制御部１５０の制御で、タッチパネル６１を駆動する。
電源回路１５２は、パネル制御部１５０の制御で、電子機器２の電力供給回路１２１から供給される電力に基づいて、パネル３の各部に電力を供給する。
【００５１】
次に、電子機器２に対してパネル３を取り付ける場合、及び、電子機器２からパネル３を取り外す場合の電子機器２の動作について、順次、説明する。
【００５２】
＜電子機器２に対してパネル３を取り付ける場合＞
図２３のフローチャートＦＡは、電子機器２に対するパネル３の取り付けに応じて、電子機器２が実行する処理を示すフローチャートである。なお、フローチャートＦＡの開始時点では、パネル３が電子機器２に装着されていない状態である。
【００５３】
図２３のフローチャートＦＡに示すように、電子機器２の機器制御部１２０は、接続検出回路１２２からの入力に基づいて、第１電気的接続が行われたか否かを監視する（ステップＳＡ１）。上述したように、ユーザがパネル３を電子機器２に取り付ける作業を行う場合、第２電気的接続、及び、物理的接続に先立って、第１電気的接続が行われる。従って、第１電気的接続を検出することにより、ユーザが電子機器２にパネル３を取り付ける作業を行っている可能性があることを検出できる。
【００５４】
第１電気的接続が行われたことを検出した場合（ステップＳＡ１：ＹＥＳ）、機器制御部１２０は、接続検出回路１２２からの入力に基づいて、第１電気的接続が、第１期間以上の間、継続したか否かを判別する（ステップＳＡ２）。ここで、ユーザが、意図的に、電子機器２にパネル３を取り付ける作業を行った場合、第１電気的接続は、一定期間以上の間、継続する。一方、ドック側コネクタ５１の端子と、パネル側コネクタ６６の端子とが偶発的に接続された場合、第１電気的接続は、一定期間以上の間、継続することなく、すぐに解除されるものと想定される。この場合、電子機器２へのパネル３の取り付けは行われない。これを踏まえ、ステップＳＡ２において、機器制御部１２０は、第１電気的接続が、第１期間以上の間、継続したか否かを判別することによって、電子機器２へのパネル３の取り付けが行われる可能性があるか否かを判別している。なお、第１期間は、電子機器２へのパネル３の取り付けが行われる可能性があるか否かを判別する際に使用される期間であることを踏まえた適切な値とされる。さらに、第１期間は、ユーザが通常の方法で電子機器２にパネル３を取り付ける場合において、第１電気的接続が行われてから、物理的接続が行われるに至るまでに要すると想定される期間よりも十分に短い時間とされる。
本実施形態では、第１期間は、「０．５秒」である。
【００５５】
第１電気的接続が、第１期間以上の間、継続しなかった場合（ステップＳＡ２：ＮＯ）、機器制御部１２０は、ステップＳＡ３以下の処理を実行することなく、処理手順をステップＳＡ１へ戻す。
【００５６】
第１電気的接続が第１期間以上の間、継続した場合（ステップＳＡ２：ＹＥＳ）、機器制御部１２０は、センサー制御回路１２３を制御して、受光センサー１０８の駆動を開始する（ステップＳＡ３）。受光センサー１０８の駆動に応じて、受光センサー１０８は、受光の検出、及び、受光状態に応じた検出値の出力を開始する。
上述したように、第１電気的接続が確立した状態では、ドック側受光センサー用端子と、パネル側受光センサー用端子とが少なくとも接続された状態であるため、機器制御部１２０は、センサー制御回路１２３を駆動し、また、受光センサー１０８の検出値を取得することができる。
【００５７】
次いで、機器制御部１２０は、発光ＬＥＤ１０５の電源をオンし、ＬＥＤ制御回路１２４を制御して、発光ＬＥＤ１０５を駆動する（ステップＳＡ４）。発光ＬＥＤ１０５の駆動に応じて、発光ＬＥＤ１０５は、赤外線の光を発する。
【００５８】
次いで、機器制御部１２０は、センサー制御回路１２３からの入力に基づいて、受光センサー１０８の検出値の取得を開始する（ステップＳＡ５）。
ここで、ステップＳＡ５の処理が実行されるタイミングは、第１電気的接続が検出された後、第１期間（本実施形態では、「０．５秒」。）が経過したタイミングであり、物理的接続は行われていない。従って、スライド部材４７は、第１状態であり、発光ＬＥＤ１０５が発する光は、移動部１０１により遮蔽された状態である。
【００５９】
次いで、機器制御部１２０は、第１電気的接続が解除されたか否かを監視しつつ（ステップＳＡ６）、物理的接続が確立したか否かを監視する（ステップＳＡ７）。
【００６０】
ステップＳＡ７において、機器制御部１２０は、物理的接続が確立したことを以下の方法で検出する。
すなわち、機器制御部１２０は、センサー制御回路１２３から入力される受光センサー１０８の検出値に基づいて、受光センサー１０８が赤外線の受光を検出したか否かを監視する。その際、機器制御部１２０は、受光センサー１０８の検出値に基づいて、受光センサー１０８が受光する光の受光強度を算出し、受光強度が第１閾値を上回った場合に、受光センサー１０８が受光を検出したと判別する。第１閾値は、係合爪４８の傾斜部４８ｂの後端部が係合孔６７の内周に当接した状態（図１９Ｄに示す状態。）となったことに応じて、発光ＬＥＤ１０５が発する光を受光する受光センサー１０８の受光強度が、当該第１閾値を上回るような値に事前に設定される。第１閾値を、このような値とすることにより、機器制御部１２０は、受光センサー１０８の受光強度が第１閾値を上回ることを検出することによって、係合爪４８の傾斜部４８ｂの後端部が係合孔６７の内周に当接した状態となったことを的確に検出できる。なお、上述したように、係合爪４８の傾斜部４８ｂの後端部が、係合孔６７の内周に当接した状態（図１９Ｄに示す状態。）の場合、発光ＬＥＤ１０５が発する光は移動部１０１により遮蔽されない。
【００６１】
次いで、機器制御部１２０は、受光センサー１０８の受光強度が第２閾値（第２閾値＜第１閾値）を下回ったか否かを監視する。第２閾値は、係合孔６７に係合爪４８が係合した状態（図１９Ｅに示す状態。）となったことに応じて、受光センサー１０８の受光強度が、当該第２閾値を下回るような値に設定される。第２閾値を、このような値とすることにより、機器制御部１２０は、受光センサー１０８の受光強度が第２閾値を下回ったことを検出することによって、係合孔６７に係合爪４８が係合したことを的確に検出できる。なお、上述したように、係合孔６７に係合爪４８が係合した状態（図１９Ｅに示す状態。）の場合、発光ＬＥＤ１０５が発する光は移動部１０１により遮蔽される。
【００６２】
さらに、機器制御部１２０は、受光センサー１０８の受光強度が、第２閾値を下回ったことを検出した場合、第２電気的接続が確立した状態か否かを判別する。第２電気的接続が確立した状態の場合、受光センサー１０８の受光強度が第２閾値を下回った理由は、係合孔６７に係合爪４８が適切に係合したことにあるため、機器制御部１２０は、物理的接続が確立したと判別する（ステップＳＡ７：ＹＥＳ）。上述したように、電子機器２に対するパネル３の取り付けに際し、物理的接続は、第２電気的接続よりも後に行われるため、物理的接続が確立しときには、必ず、第２電気的接続が確立した状態である。
一方、第２電気的接続が確立した状態ではない場合、受光センサー１０８が第２閾値を下回った理由は、以下であるものと想定される。すなわち、タッチパネル６１が、電子機器２に向かう方向と逆方向に回動され、係合爪４８の傾斜部４８ｂの後端部が係合孔６７の内周に当接した状態（図１９Ｄの状態。）から、係合爪４８が係合孔６７に接触していない状態（図１９Ａの状態。）へと移行し、これに応じて、移動部１０１により発光ＬＥＤ１０５が発する光が遮蔽された状態となったことが理由と想定される。これを踏まえ、受光センサー１０８の受光強度が、第２閾値を下回った場合であっても、第２電気的接続が確立した状態ではない場合、機器制御部１２０は、物理的接続が確立していないと判別する（ステップＳＡ７：ＮＯ）。
【００６３】
このように、ステップＳＡ７において、機器制御部１２０は、受光センサー１０８の受光状態が、「受光を検出していない状態」→「受光を検出した状態」→「受光を検出していない状態」へと変化した後（所定のパターンで変化した後）、第２電気的接続が確立した状態の場合に、物理的接続が確立したことを検出する。このような構成のため、機器制御部１２０は、電子機器２に対するパネル３の取り付けに際し、パネル３の回動に応じて移動部１０１が移動し、移動部１０１により発光ＬＥＤ１０５が発する光が所定の態様で遮蔽されるという構造的な特性を踏まえて、適切に、物理的接続の確立を検出できる。
【００６４】
物理的接続が確立することなく（ステップＳＡ７：ＮＯ）、第１電気的接続が解除された場合（ステップＳＡ６：ＹＥＳ）、機器制御部１２０は、処理手順をステップＳＡ１へ戻す。なお、以下の場合に、物理的接続が確立することなく、第１電気的接続が解除されるものと想定される。すなわち、ユーザが、電子機器２に対するパネル３の取り付けを中止し、物理的接続を確立させることなく、パネル３のガイド凹部６８と、連結ドック４０のガイド突起５２との係合を解除し、電子機器２からパネル３を離間させた場合である。
【００６５】
第１電気的接続が解除されることなく（ステップＳＡ６：ＮＯ）、物理的接続が確立した場合（ステップＳＡ７：ＹＥＳ）、機器制御部１２０は、取付時第１処理を実行する（ステップＳＡ８）。
取付時第１処理は、電子機器２にパネル３が物理的接続された場合に、電子機器２側で実行する処理として、予め定められたものである。
取付時第１処理には、例えば、パネル３を制御するための制御回路、その他の構成要素に必要な電力を供給する処理や、パネル３を用いた動作を行うために必要なプログラムの起動、及び、初期処理が含まれる。
また、取付時第１処理には、音声出力回路１２５がスピーカーを介して出力する音声の音量を調整する処理が含まれる。調整後の音量は、人間が音声を聴取したときに驚かない程度に十分に低いレベルとされる。当該処理は、以下の事項を目的として実行される。すなわち、電子機器２に対するパネル３の装着に応じて、電子機器２による音声の出力が可能な状態となる。そして、電子機器２が音声を出力したときに、ユーザの意図に反した大きな音量で、音声が出力されることを防止するために、当該処理は実行される。
【００６６】
次いで、機器制御部１２０は、取付時第２処理を実行する（ステップＳＡ９）。
取付時第２処理は、機器制御部１２０が、電力供給回路１２１を制御して、コネクタを介してパネル３の電源回路に電力を供給し、パネル３の起動に必要な構成要素に電力を供給する処理を含む。また、取付時第２処理は、機器制御部１２０（機器制御部１２０に制御される回路を含む。）が、パネル制御部１５０と通信し、パネル制御部１５０に制御信号を出力して、パネル３を起動する処理を含む。また、取付時第２処理は、機器制御部１２０が、パネル制御部１５０と通信し、パネル制御部１５０に制御信号を出力して、パネル３を制御する処理を含む。
取付時第２処理を実行することにより、パネル３が起動し、タッチパネル６１に対してユーザが指示入力を行える状態になると共に、タッチパネル６１に情報が表示可能な状態となる。
【００６７】
取付時第１処理、及び、取付時第２処理は、「所定の処理」に相当する。
【００６８】
このように、本実施形態では、機器制御部１２０は、物理的接続が確立して初めて、パネル３を起動した上で、パネル制御部１５０との通信を要する処理を実行する。ここで、物理的接続が確立した状態は、第２接続状態が確立し、かつ、電子機器２に対してパネル３がロックされた状態である。従って、係合孔６７と係合爪４８の係合が解除されて、電子機器２に対するパネル３のロックが解除されない限り、第２接続状態（全ての端子が接続された状態。）は、解除されない。これを踏まえ、機器制御部１２０が、物理的接続が確立して初めて、パネル制御部１５０との通信を要する処理を実行することにより、通信中に第２接続状態が解除されてエラーが発生することが防止される。
【００６９】
＜電子機器２からパネル３を取り外す場合＞
図２４のフローチャートＦＢは、電子機器２からのパネル３の取り外しに応じて、電子機器２が実行する処理を示すフローチャートである。なお、フローチャートＦＢの開始時点では、パネル３が電子機器２に装着された状態である。
【００７０】
図２４のフローチャートＦＢに示すように、電子機器２の機器制御部１２０は、センサー制御回路１２３からの入力に基づいて、受光センサー１０８が受光を検出したか否かを監視する（ステップＳＢ１）。
ステップＳＢ１において、機器制御部１２０は、受光センサー１０８の検出値に基づいて、受光センサー１０８が受光する光の受光強度を算出し、受光強度が第３閾値を上回った場合に、受光センサー１０８が受光を検出したと判別する。第３閾値は、ユーザが押動部４９を押動操作して、スライド部材４７が第２状態（第２状態に近い状態を含む。）となったことに応じて、発光ＬＥＤ１０５が発する光を受光する受光センサー１０８の受光強度が、当該第３閾値を上回るような値に事前に設定される。第３閾値を、このような値とすることにより、機器制御部１２０は、受光センサー１０８の受光強度が第３閾値を上回ることを検出することによって、ユーザが押動部４９を押動操作して、スライド部材４７を第２状態としたことを的確に検出できる。上述したように、電子機器２からパネル３を取り外す際は、ユーザは、押動部４９を押動操作して、スライド部材４７を第２状態とする必要がある。
【００７１】
ステップＳＢ１では、機器制御部１２０は、受光センサー１０８の受光状態が、「受光を検出していない状態」→「受光を検出した状態」へと変化したこと（所定のパターンで変化したこと。）を検出することによって、物理的接続が解除されたことを検出している。このような構成のため、機器制御部１２０は、電子機器２に対するパネル３の取り外しに際し、ユーザによる押動部４９に対する押動操作に応じて移動部１０１が移動し、移動部１０１により発光ＬＥＤ１０５が発する光が所定の態様で遮蔽されるという構造的な特性を踏まえて、適切に、物理的接続の解除を検出できる。
【００７２】
受光センサー１０８が受光を検出したと判別した場合（ステップＳＢ１：ＹＥＳ）、機器制御部１２０は、取外時第１処理（第１の処理）を実行する（ステップＳＢ２）。
取外時第１処理は、機器制御部１２０（機器制御部１２０に制御される回路を含む。）が、パネル制御部１５０と通信し、パネル制御部１５０に制御信号を出力して、パネル３をシャットダウンする処理を含む。パネル制御部１５０は、当該制御信号の入力に応じて、ソフトウェア的なシャットダウン、ハードウェア的なシャットダウンを実行する。パネル３のシャットダウンに応じて、表示パネル３による情報の表示、及び、表示パネル３による入力の受け付けが停止する。
また、機器制御部１２０は、電力供給回路１２１を制御して、パネル３に対する不要な電力の供給を停止する。ただし、受光センサー１０８への電力供給、及び、受光センサー１０８とセンサー制御回路１２３との通信可能な状態は維持される。
【００７３】
ここで、ユーザが押動部４９を押動操作したということは、以後、電子機器２からパネル３が取り外されると想定される。これを踏まえ、機器制御部１２０が、ユーザによる押動部４９の押動操作を検出したことをトリガーとして、パネル制御部１５０と通信し、パネル３をシャットダウンすることにより、以下のことが可能となる。すなわち、第２電気的接続が確立しており、パネル制御部１５０との間で正常に通信ができる状態とのきに、パネル３をシャットダウンして、以後、パネル制御部１５０との間での通信が発生しない状態を構築できる。これにより、例えば、機器制御部１２０と、パネル制御部１５０との間で通信中に、電子機器２からパネル３が取り外され、エラーが発生することを的確に防止できる。
【００７４】
取外時第１処理を実行した後、機器制御部１２０は、接続検出回路１２２からの入力に基づいて、第２電気的接続が解除されたか否かを監視する（ステップＳＢ３）。
上述したように、電子機器２からパネル３を取り外す場合、ユーザは、押動部４９を押動操作して係合爪４８と係合孔６７との係合を解除した状態で、パネル３を、電子機器２に向かう方向と逆の方向に回動する。そして、パネル３の回動に応じて、第１電気的接続の解除に先立って、第２電気的接続が解除される。これを踏まえ、ステップＳＢ３において、機器制御部１２０は、第２電気的接続が解除されたことを検出することによって、ユーザが、パネル３の取外しのために、パネル３を回動したことを検出する。
【００７５】
第２電気的接続が解除されたことを検出した場合（ステップＳＢ３：ＹＥＳ）、機器制御部１２０は、取外時第２処理を実行する（ステップＳＢ４）。
取外時第２処理は、電子機器２を休止状態へ移行する処理を含む。休止状態は、パネル３の制御に関する回路、その他の構成要素への電力の供給が停止されると共に、パネル３の制御に関するプログラムがアンロードされてタスクのＣＰＵへの割り当てが停止されて、消費電力が抑制された状態である。特に、取外時第２処理は、音声出力回路１２５がスピーカーを介して出力する音声をミュートする処理を含む。当該処理により、パネル３が電子機器２から取り外されて、ユーザが電子機器２を使用せず、また、ユーザが指示入力を行えない状態で、電子機器２から音声が出力されることを確実に防止できる。
第２電気的接続が解除された後に、取付時第２処理が実行されることにより、電子機器２からパネル３から取り外されて、電子機器２が使用されない状態とのときに、電子機器２が不必要な処理を実行すること、及び、電子機器２が不必要に電力を消費することを効果的に防止できる。
【００７６】
以上説明したように、本実施形態に係る車両用カーナビゲーションシステム１（電子機器システム）は、電子機器２と、電子機器２に脱着可能なパネル３とを備える。パネル３は、電子機器２との間での電気的接続に用いられるパネル側コネクタ６６と、電子機器２との間での物理的接続に用いられるパネル側接続部１０６と、を備える。電子機器２は、電子機器２に対してパネル３が装着される動作に応じて、パネル側コネクタ６６と電気的接続されるドック側コネクタ５１（機器側コネクタ）と、電子機器２に対してパネル３が装着される動作に応じて、パネル側コネクタ６６とドック側コネクタ５１との電気的接続が行われた後に、パネル側接続部１０６と物理的接続される機器側接続部４４と、パネル側コネクタ６６とドック側コネクタ５１との電気的接続を検出した後、パネル側接続部１０６と機器側接続部４４との物理的接続を検出した場合に、所定の処理を実行する機器制御部１２０(制御部)と、を備える。
この構成によれば、機器制御部１２０は、電子機器２に対するパネルの取付時に、電子機器２とパネル３との間での電気的接続、及び、物理的接続の双方が確立した後に、所定の処理を実行する。従って、物理的接続が確立せず、電気的接続が解除される可能性が有る状態で、電気的接続が確立した状態でのみ正常に実行できる処理が実行されてしまい、エラーが発生することを防止できる。これにより、機器制御部１２０は、電子機器２に対するパネルの取り付けが適切に行われるようにすることができる。
【００７７】
また、本実施形態では、パネル３は、受光を検出する受光センサー１０８（受光部）を備える。電子機器２は、パネル３が電子機器２に装着された状態のときに受光センサー１０８に対向する位置に設けられた発光ＬＥＤ１０５（発光部）を備える。電子機器２の機器側接続部４４は、電子機器２に対してパネル３が装着される動作に連動して移動し、受光センサー１０８による発光ＬＥＤ１０５が発する光の受光状態を変化させる移動部１０１を備える。電子機器２の機器制御部１２０は、電子機器２に対してパネル３が装着される動作に応じて、パネル側コネクタ６６とドック側コネクタ５１との電気的接続が行われた後に、これらコネクタを介して受光センサー１０８の検出結果を取得し、受光センサー１０８の受光状態の変化を検出することによって、パネル側接続部１０６と機器側接続部４４との物理的接続を検出する。
この構成によれば、機器制御部１２０は、移動部１０１が、電子機器２に対してパネル３が装着される動作に連動して、受光センサー１０８による発光ＬＥＤ１０５が発する光の受光状態を変化させるという構造的な特性を用いて、パネル側接続部１０６と機器側接続部４４との物理的接続を的確に検出できる。
【００７８】
また、本実施形態では、電子機器２の機器側接続部４４の移動部１０１は、パネル３が電子機器２に物理的接続される前の状態から、物理的接続された状態へ移行する過程で、発光ＬＥＤ１０５が発する光を所定の態様で遮蔽する。電子機器２の機器制御部１２０は、所定の態様に対応する所定のパターンで受光センサー１０８の受光状態が変化したことを検出した場合に、パネル側接続部１０６と機器側接続部４４との物理的接続を検出する。
この構成によれば、機器制御部１２０は、移動部１０１が、パネル３が電子機器２に物理的接続される前の状態から、物理的接続された状態へ移行する過程で、発光ＬＥＤ１０５が発する光を所定の態様で遮蔽することを踏まえ、より的確に、パネル側接続部１０６と機器側接続部４４との物理的接続を検出できる。
【００７９】
また、本実施形態では、パネル３のパネル側接続部１０６は、係合孔６７を備える。電子機器２の機器側接続部４４は、電子機器２に対してパネル３が装着される動作に連動して移動部１０１を移動させ、係合孔６７に係合することによって、パネル側接続部１０６と機器側接続部４４とを物理的接続する係合爪４８を備える。
この構成によれば、電子機器２に対してパネル３が装着される動作に連動して的確に移動部１０１を移動させることができると共に、係合孔６７に対する係合爪４８の係合によって、パネル３と電子機器２との物理的接続を的確に確立できる。
【００８０】
また、本実施形態では、電子機器２の機器制御部１２０は、パネル側コネクタ６６とドック側コネクタ５１との電気的接続（第１電気的接続）を検出した後、これらコネクタを介して発光ＬＥＤ１０５の電源をオンする。
この構成によれば、物理的接続が確立する前の適切なタイミングで、発光ＬＥＤ１０５の電源をオンすることができる。
【００８１】
また、本実施形態では、電子機器２の機器制御部１２０は、電子機器２に対するパネル３の取付時、物理的接続を検出した後、パネル側コネクタ６６及びドック側コネクタ５１を介してパネル３に制御信号を出力して、パネル３を起動する処理を実行する。
この構成によれば、物理的接続がされており、電気的接続が解除されない状態のときに、パネル３と通信し、パネル３を起動することができ、パネル３と通信中に、パネル３が取り外されて、エラーが発生することを防止できる。
【００８２】
また、本実施形態では、電子機器２の機器制御部１２０は、電子機器２に対するパネル３の取付時、物理的接続を検出した後、パネル側コネクタ６６及びドック側コネクタ５１を介してパネル３に制御信号を出力して、パネル３を制御する処理を実行する。
この構成によれば、物理的接続がされており、電気的接続が解除されない状態のときに、パネル３と通信し、パネル３を制御することができ、パネル３と通信中に、パネル３が取り外されて、エラーが発生することを防止できる。
【００８３】
また、本実施形態では、電子機器２の機器制御部１２０は、電子機器２に対するパネル３の取付時、物理的接続を検出した後、音声出力回路１２５が音声を出力するときの音量を調整する処理を実行する。
この構成によれば、電子機器２が音声を出力したときに、ユーザの意図に反した大きな音量で、音声が出力されることを防止できる。
【００８４】
また、以上説明したように、本実施形態に係る車両用カーナビゲーションシステム１（電子機器システム）は、電子機器２と、電子機器２に脱着可能なパネルとを備える。パネル３は、電子機器２との間での物理的接続に用いられるパネル側接続部１０６と、電子機器２との間での電気的接続に用いられるパネル側コネクタ６６と、を備える。電子機器２は、電子機器２にパネル３が装着された状態のときにパネル側接続部１０６と物理的接続され、電子機器２からパネル３が取り外される動作に応じて、パネル側接続部１０６との物理的接続が解除される機器側接続部４４と、電子機器２にパネル３が装着された状態のときにパネル側コネクタ６６と電気的接続され、電子機器２からパネル３が取り外される動作に応じて、パネル側接続部１０６と機器側接続部４４との物理的接続が解除された後に、パネル側コネクタ６６との電気的接続が解除されるドック側コネクタ５１（機器側コネクタ）と、パネル側接続部１０６と機器側接続部４４との物理的接続が解除されたことを検出した場合に、取外時第１処理（第１の処理）を実行し、パネル側コネクタ６６とドック側コネクタ５１との電気的接続が解除されたことを検出した場合に、取外時第２処理（第２の処理）を実行する機器制御部１２０と、を備える。
この構成によれば、機器制御部１２０は、電子機器２からのパネル３の取り外し時に、物理的接続の解除、電気的接続の解除の順番で、各接続の解除が行われることを踏まえ、物理的接続の解除後、電気的接続の解除が行われる前に、電気的接続が確立した状態のときに正常に実行できる処理を実行することができる。従って、機器制御部１２０は、電気的接続が確立した状態のときに、当該状態で正常に実行できる処理を実行でき、エラーが発生することを防止できる。これにより、機器制御部１２０は、電子機器２に対するパネル３の取り外しが適切に行われるようにすることができる。
【００８５】
また、本実施形態では、電子機器２の機器制御部１２０は、取外時第１処理として、パネル側コネクタ６６及びドック側コネクタ５１を介してパネル３に制御信号を出力して、パネル３をシャットダウンする処理を実行する。
この構成によれば、機器制御部１２０は、電子機器２とパネル３との電気的接続が確立しており、パネル制御部１５０との間で正常に通信ができる状態とのきに、パネル３をシャットダウンして、以後、パネル制御部１５０との間での通信が発生しない状態を構築できる。これにより、例えば、機器制御部１２０と、パネル制御部１５０との間で通信中に、電子機器２からパネル３が取り外され、エラーが発生することを防止できる。
【００８６】
また、本実施形態では、電子機器２の機器制御部１２０は、取外時第２処理として、音声出力回路１２５が出力する音声をミュートする処理を実行する。
この構成によれば、電子機器２からパネル３から取り外されて、電子機器２が使用されない状態とのときに、電子機器２から不必要に音声が出力されることを防止できる。
【００８７】
また、本実施形態では、パネル３は、受光を検出する受光センサー１０８（受光部）を備える。電子機器２は、パネル３が電子機器２に装着された状態のときに受光センサー１０８に対向する位置に設けられた発光ＬＥＤ１０５（発光部）を備える。電子機器２の機器側接続部４４は、電子機器２からパネル３が取り外される動作に連動して移動し、受光センサー１０８による発光ＬＥＤ１０５が発する光の受光状態を変化させる移動部１０１を備える。電子機器２の機器制御部１２０は、パネル３が電子機器２に装着された状態のときに、受光センサー１０８の受光状態の変化を検出することによって、パネル側接続部１０６と機器側接続部４４との物理的接続が解除されたことを検出する。
この構成によれば、機器制御部１２０は、移動部１０１が、電子機器２からパネル３が取り外される動作に連動して、受光センサー１０８による発光ＬＥＤ１０５が発する光の受光状態を変化させるという構造的な特性を用いて、パネル側接続部１０６と機器側接続部４４との物理的接続が解除されたことを的確に検出できる。
【００８８】
また、本実施形態では、電子機器２の機器側接続部４４の移動部１０１は、パネル３が電子機器２に物理的接続された状態から、物理的接続が解除された状態へ移行する過程で、発光ＬＥＤ１０５が発する光を所定の態様で遮蔽する。電子機器２の機器制御部１２０は、前記所定の態様に対応する所定のパターンで受光センサー１０８の受光状態が変化したことを検出した場合に、パネル側接続部１０６と機器側接続部４４との物理的接続が解除されたことを検出する。
この構成によれば、機器制御部１２０は、移動部１０１が、パネル３が電子機器２に物理的接続された状態から、物理的接続が解除された状態へ移行する過程で、発光ＬＥＤ１０５が発する光を所定の態様で遮蔽することを踏まえ、より的確に、パネル側接続部１０６と機器側接続部４４との物理的接続が解除されたことを検出できる。
【００８９】
また、本実施形態では、パネル３のパネル側接続部１０６は、係合孔６７を備える。電子機器２の機器側接続部４４は、係合孔６７に係合することによってパネル側接続部１０６と機器側接続部４４とを物理的接続し、係合孔６７に対する係合が解除される動作に連動して移動部１０１を移動させる係合爪４８を備える。
この構成によれば、パネル３が電子機器２に物理的接続された状態から、物理的接続が解除された状態へ移行する過程で、電子機器２に対してパネル３が装着される動作に連動して的確に移動部１０１を移動させることができる。
【００９０】
また、本実施形態では、パネル側接続部１０６は、係合孔６７に対して前記係合爪４８が係合した状態のときに、押動操作（操作）に応じて係合爪４８を移動させ、係合孔６７に対する係合爪４８の係合を解除する押動部４９（操作部）を備える。
この構成によれば、機器制御部１２０は、ユーザが意図的に電子機器２からパネル３を取り外そうとしたときに、そのことを的確に検出できる。
【００９１】
＜第２実施形態＞
次いで、第２実施形態について説明する。
上述した第１実施形態では、発光ＬＥＤ１０５が赤外線の光を発した。一方、第２実施形態では、発光ＬＥＤ１０５は、人間が感知可能な可視光を発する。また、受光センサー１０８は、可視光の受光を検出可能なフォトセンサーとされる。
また、第２実施形態において、機器制御部１２０は、取外時第２処理において、以下の処理を実行する。なお、第１実施形態と、第２実施形態とでは、発光ＬＥＤ１０５が可視光を発する点、及び、機器制御部１２０が取外時第２処理において以下の処理を実行する点が相違し、他の点は一致する。
【００９２】
第２実施形態において、機器制御部１２０は、取外時第２処理において、アクセサリ電源がオフの間、発光ＬＥＤ１０５の電源をオンして、発光ＬＥＤ１０５を駆動し、発光ＬＥＤ１０５を所定の態様で点灯させる。所定の態様での点灯は、所定のパターンで発行ＬＥＤ１０５を点滅させてもよく、また、発光ＬＥＤ１０５を継続して点灯してもよい。なお、機器制御部１２０は、車両のバックアップ用の電源から供給される電力に基づいて、発光ＬＥＤ１０５を駆動する。上記処理が行われることにより、電子機器２からパネル３が取り外された状態において、アクセサリ電源がオフの間、発光ＬＥＤ１０５が発光した状態となる。
上記処理は、以下の事項を目的として実行される。すなわち、アクセサリ電源がオフの間は、ユーザが車両に搭乗していない状態である可能性がある。そして、電子機器２からパネル３が取り外された状態であって、アクセサリ電源がオフの間、ダッシュボードに収容された電子機器２の発光ＬＥＤ１０５から継続して発光されることにより、ユーザが車両に搭乗していない可能性がある状態のときに、車両外から、車両内を視認する者に対して、車両内の機器が動作中であることを示すことができる。
【００９３】
なお、第２実施形態では、電子機器２からパネル３が取り外された状態であって、アクセサリ電源がオフの場合に、機器制御部１２０が、発光ＬＥＤ１０５を駆動する構成であった。この点に関し、アクセサリ電源のオン／オフにかかわらず、また、電子機器２に対するパネル３の脱着状態にかかわらず、機器制御部１２０が、発光ＬＥＤ１０５を駆動する構成でもよい。この場合、アクセサリ電源がオフの間は、車両のバックアップ用の電源から電子機器２に必要な電力が供給される。この構成であっても、第２実施形態で説明した効果と同様の効果を奏することができる。
【００９４】
なお、上述した実施の形態は、あくまでも本発明の一態様を示すものであり、本発明の範囲内で任意に変形および応用が可能である。
例えば、上述した各実施形態では、機器制御部１２０は、受光センサー１０８の受光状態の変化を検出することにより、電子機器２とパネル３との間で、物理的接続が確立したこと、及び、物理的接続が解除されたことを検出していた。しかしながら、機器制御部１２０が、電子機器２とパネル３との間で、物理的接続が確立したこと、及び、物理的接続が解除されたことを検出する方法は、各実施形態で例示した方法に限らない。例えば、車両用カーナビゲーションシステム１に、電子機器２に対してパネル３が装着される動作に連動して検出値が変化し、また、電子機器２からパネル３が取り外される動作に連動して検出値が変化する機械的スイッチを設ける。そして、機器制御部１２０は、機械的スイッチの検出値に基づいて、電子機器２とパネル３との間で、物理的接続が確立したこと、及び、物理的接続が解除されたことを検出してもよい。
また、上述した各実施形態において、車両用カーナビゲーションシステム１は、車両に搭載された装置であったが、車両用カーナビゲーションシステム１は、車両に搭載された装置である必要は無い。
また、上述した実施形態では、パネル３は、タッチパネル６１を含む構成であったが、タッチパネル６１を含む構成である必要は無い。例えば、パネル３は、表示する機能のみを有する表示パネルでもよい。
また、図で示したフローチャートの処理単位は、各装置の処理を理解容易にするために、主な処理内容に応じて分割したものである。処理単位の分割の仕方や名称によって、本願発明が制限されることはない。各装置の処理は、処理内容に応じて、さらに多くの処理単位に分割することもできる。また、１つの処理単位がさらに多くの処理を含むように分割することもできる。また、同様の処理が行えれば、上記のフローチャートの処理順序も、図示した例に限られるものではない。
【符号の説明】
【００９５】
１  車両用カーナビゲーションシステム（電子機器システム）
２  電子機器
３  パネル
４４  機器側接続部
４８  係合爪（爪部）
４９  押動部（操作部）
５１  ドック側コネクタ（機器側コネクタ）
６６  パネル側コネクタ
６７  係合孔（爪係合部）
１０１  移動部
１０５  発光ＬＥＤ（発光部）
１０８  受光センサー（受光部）
１２０  機器制御部（制御部）
１２５  音声出力回路（音声出力部）
【図１】
2018088122.tif 000003
【図２】
2018088122.tif 000004
【図３】
2018088122.tif 000005
【図４】
2018088122.tif 000006
【図５】
2018088122.tif 000007
【図６】
2018088122.tif 000008
【図７】
2018088122.tif 000009
【図８】
2018088122.tif 000010
【図９】
2018088122.tif 000011
【図１０】
2018088122.tif 000012
【図１１】
2018088122.tif 000013
【図１２】
2018088122.tif 000014
【図１３】
2018088122.tif 000015
【図１４】
2018088122.tif 000016
【図１５】
2018088122.tif 000017
【図１６】
2018088122.tif 000018
【図１７】
2018088122.tif 000019
【図１８】
2018088122.tif 000020
【図１９Ａ】
2018088122.tif 000021
【図１９Ｂ】
2018088122.tif 000022
【図１９Ｃ】
2018088122.tif 000023
【図１９Ｄ】
2018088122.tif 000024
【図１９Ｅ】
2018088122.tif 000025
【図２０】
2018088122.tif 000026
【図２１】
2018088122.tif 000027
【図２２】
2018088122.tif 000028
【図２３】
2018088122.tif 000029
【図２４】
2018088122.tif 000030